(57)【特許請求の範囲】
【請求項１】
テープの送り出しと引き戻しを行うテープ供給部材と、該テープ供給部材から送り出されたテープ先端近傍を把持するとともに、移送路における単片用紙束の停止部を囲むように設けた軌道枠にガイドされて回転してテープでループを形成するためのループ形成部材と、ループ形成部材でループを形成するときに、テープが単片用紙束部分の外側に位置するようガイドする軌道枠に直交する方向に水平に伸び、必要に応じて軌道枠に直交する方向に進入あるいは退出する少なくとも３本のガイド杆、及び前記各ガイド杆に対して直交する方向で各ガイド杆内側に進入あるいは退出し、前記進入時に前記テープの前記各ガイド杆退出方向側の側縁に係止し得る係止片を有するテープ解放体を備え、ガイド杆にガイドされたテープの側縁に進入時の係止片が係止した状態においてガイド杆を退出させ、ガイド杆の退出時にガイド杆とともにテープが移動することを前記係止片で阻止することによって、前記テープが前記ガイド状態から解放されるようなした帯掛け補助ガイドと、前記解放されたテープを、前記単片用紙束に締め付けた後に、前記テープ先端とテープの供給側ループ端とを重ねて溶着するとともに、テープを溶着部分の供給側で切り離すための、単片用紙束の下側に配置したテープカット機構とからなる単片用紙束の帯掛け装置におけるテープカット機構であって、停止部に単片用紙束の下側になるよう配置した溶着補助体と、この溶着補助体に対して昇降し、上昇したときに溶着補助体との間に挟んで重なったテープどうしを溶着するようなしたヒーターと、テープの供給側に対応位置するようヒーター側部に一体的に設け、上端の刃部がヒーター上端より上方に突出するカッターと、前記溶着補助体の下面に対して昇降するよう設け、テープ先端近傍を前記溶着補助体との間で把持するクランプと、該クランプと一体的に設け前記カッターの刃部に対応位置するカッター受けとから構成したことを特徴とする単片用紙束の帯掛け装置におけるテープカット機構。
【発明の詳細な説明】
【０００１】
【発明の属する技術分野】
本発明は、単片用紙供給装置から搬送装置で搬送されてきた単片用紙、例えば葉書を、区分け装置で区分けし、スタッカ装置で区分け葉書を所定枚数ずつ堆積させ、表示札添付装置で区分け内容を表示した表示札を添付し、帯掛け装置で帯掛けを行う単片用紙束の作成ユニットの前記帯掛け装置に係り、特に、帯掛け装置における、葉書束に掛けたテープを結束すべく溶着するとともに、テープの供給側を切り離すためのテープカット機構に関する。
【０００２】
【従来の技術】
従来の単片用紙束の帯掛け装置におけるテープカット機構１００は、図１２に示したように、単片用紙束である葉書束ａの下側になるよう配置した溶着補助体１０１と、この溶着補助体１０１に対して昇降し、上昇したときに溶着補助体１０１との間に挟んでテープｂ先端と重なったテープｂの供給側端を溶着するためのヒーター１０２と、このヒーター１０２とは別個に設け、前記ヒーター先端とは間隔をおいて斜め上方に突出するように配置したカッター１０３と、前記溶着補助体１０１の下面に設け、テープｂ先端近傍を把持するクランプ１０４とから構成したものが一般的である。
【０００３】
そして上記テープカット機構１００によって重なったテープｂの溶着及び切断を行うには、葉書束ａを一周させたテープｂ先端が溶着補助体１０１の下側に達したところで、クランプ１０４でテープｂ近傍を溶着補助体１０４との間で把持し、テープ供給ローラー１０５を逆回転させて引き絞り、ヒーター１０２を上昇させ、テープｂが重なった前記部分を溶着補助体１０１に押し付けながら溶着する。また、この溶着処理と同時に、テープｂは、その供給側において、斜め上方に伸びるカッター１０３先端の刃に、テープ供給ローラー１０５により引き絞られつつ、押し付けられて切断するのである。
【０００４】
【発明が解決しようとする課題】
上記従来のテープカット機構１００は、カッター１０３を斜めに配置し、テープ供給ローラー１０５の引絞力（テンション）でテープｂを、カッター１０３に押し付けることによって切断するので、該テンションを小さくすると切断できない。そして、テープｂのテンションを所定値より大きくして切断しようとすると、葉書束ａが反り返る等の変形をおこしやすく、特に、単片用紙の枚数が少ない葉書等には適用できないという問題があった。
【０００５】
本発明は、従来のテープカット機構の各問題を解消することを課題とし、この課題を解決した単片用紙束の帯掛け装置におけるテープカット機構の提供を目的とする。
【０００６】
【課題を解決するための手段】
請求項１に記載された発明は、前記目的を達成するために、テープの送り出しと引き戻しを行うテープ供給部材と、該テープ供給部材から送り出されたテープ先端近傍を把持するとともに、移送路における単片用紙束の停止部を囲むように設けた軌道枠にガイドされて回転してテープでループを形成するためのループ形成部材と、ループ形成部材でループを形成するときに、テープが単片用紙束部分の外側に位置するようガイドする軌道枠に直交する方向に水平に伸び、必要に応じて軌道枠に直交する方向に進入あるいは退出する少なくとも３本のガイド杆、及び前記各ガイド杆に対して直交する方向で各ガイド杆内側に進入あるいは退出し、前記進入時に前記テープの前記各ガイド杆退出方向側の側縁に係止し得る係止片を有するテープ解放体を備え、ガイド杆にガイドされたテープの側縁に進入時の係止片が係止した状態においてガイド杆を退出させ、ガイド杆の退出時にガイド杆とともにテープが移動することを前記係止片で阻止することによって、前記テープが前記ガイド状態から解放されるようなした帯掛け補助ガイドと、前記解放されたテープを、前記単片用紙束に締め付けた後に、前記テープ先端とテープの供給側ループ端とを重ねて溶着するとともに、テープを溶着部分の供給側で切り離すための、単片用紙束の下側に配置したテープカット機構とからなる単片用紙束の帯掛け装置におけるテープカット機構であって、停止部に単片用紙束の下側になるよう配置した溶着補助体と、この溶着補助体に対して昇降し、上昇したときに溶着補助体との間に挟んで重なったテープどうしを溶着するようなしたヒーターと、テープの供給側に対応位置するようヒーター側部に一体的に設け、上端の刃部がヒーター上端より上方に突出するカッターと、前記溶着補助体の下面に対して昇降するよう設け、テープ先端近傍を前記溶着補助体との間で把持するクランプと、該クランプと一体的に設け前記カッターの刃部に対応位置するカッター受けとから構成したものである。
【０００７】
【発明の実施の形態】
以下に、単片用紙たる葉書の帯掛けに適用した本発明の好適な実施の形態を添付図面に基づいて詳細に説明する。ここにおいて、添付図面の図１は単片用紙の作成ユニットの概略図、図２は帯掛け装置の概略図、図３は要部の拡大図、図４は溶着及び切断後のテープの部分図、図５〜図１０は帯掛け動作を順次説明するためのもので、図５は帯掛け前の状態の斜視図、図６はループ形成途中の状態の斜視図、図７はループ形成後の状態の斜視図、図８は帯掛け補助ガイドからテープを解放した状態の斜視図、図９はテープの溶着及び切断後の状態の斜視図、図１０は帯掛け終了状態の斜視図、図１１は帯掛け動作のフロー図である。
【０００８】
図１に示したように、帯掛け装置１は、単片用紙束の作成ユニットの一部を構成するものであり、該単片用紙束の作成ユニットは、単片用紙供給装置Ａから搬送装置Ｂで搬送されてきた単片用紙、例えば葉書を、区分け装置Ｃで区分けし、スタッカ装置Ｄで区分け葉書を所定枚数ずつ堆積させ、表示札添付装置Ｅで区分け内容を表示した表示札を添付し、帯掛け装置１で帯掛けを行うというものである。また、表示札添付装置Ｅと帯掛け装置１、帯掛け装置１と集積部（図示せず）は、それぞれ移送路５で連繋されている。
【０００９】
図２、図５〜図１０に示したように、帯掛け装置１は、テープｂの送り出しと引き戻しを行うテープ供給部材たる正逆回転可能なテープ供給ローラー２から送り出されたテープｂを単片用紙束たる葉書束ａに掛けてループを形成するためのループ形成部材３と、前記ループを形成したテープｂを、葉書束ａに所定の引き絞り力で締め付けた後に、テープｂ先端とテープｂの供給側ループ端とを重ねて溶着するとともに、該溶着部分近傍でテープｂを切り離すための、葉書束ａの下側に位置するよう配置したテープカット機構を構成するテープ溶着、切断部材４とからなる。
【００１０】
図２に明示したように、テープ供給ローラー２は、一方（下側）のローラー２を正逆回転して駆動するもので、正回転においてテープｂを送り出し、また、逆回転においてテープｂを引き戻して葉書束ａに締め付けるように構成する。
【００１１】
図２〜図１０に示したように、ループ形成部材３は、葉書束ａを移送する移送路５における葉書束ａを停止させる所定位置である停止部を囲むように設けた軌道枠たるリング６と、このリング６にガイドされて回転し、その先端にテープｂ先端近傍を把持する把持部７ｂを設けた回転体７ａとから構成する。前記リング６は後述する帯掛け補助ガイド８の４本のガイド杆８ａの外側に軌道をとるように形成してある。
【００１２】
また、前記停止部に位置する葉書束ａと前記リング６の間には、ループ形成部材３によってループを形成するテープｂを、葉書束ａの外側でガイドするとともに、このガイドされたテープｂを解放するようになした帯掛け補助ガイド８を設ける。この帯掛け補助ガイド８は、それぞれ前記リング６に直交する方向に水平に伸びる４本のガイド杆８ａを有する。
【００１３】
図３に明示したように、テープ溶着、切断部材４は、移送路５の前記停止部において葉書束ａの下側になるよう配置した溶着補助体９と、この溶着補助体９に対して昇降するよう構成し、上昇したときに溶着補助体９との間に挟んで重なったテープｂ先端とテープ供給側ループ端を溶着するためのヒーター１０と、このヒーター１０に沿うように立設された、前記溶着部の供給側を切断するための、先端の刃がヒーター１０の上端より上方に突出したカッター１１と、前記溶着補助体９下側に昇降可能に設け、溶着補助体９下面との間にテープｂ先端近傍を把持しうるようになしたクランプ１２と、このクランプ１２と一体的に、かつ前記カッター１１に位置対応するように設けたカッター受け１３とから構成する。
【００１４】
そして、このテープ溶着、切断部材４は、葉書束ａの外側でループを形成した後にテープｂ先端近傍をクランプ１２で溶着補助体９下面に当接して挟むことによって把持し、該テープｂをテープ供給ローラー２で供給側に引き絞り、ヒーター１０を上昇し、重なった状態のテープｂ先端部分とテープ供給側ループ端を溶着補助体９に押し付けて溶着するとともに、テープｂの供給側を、ヒーター１０とともに加熱されたカッター１１によって溶解し、かつカッター１１とカッター受け１３間で剪断力により切断する（図３参照）のである。このように、カッター１１はヒーター１０に沿うように立設してあるので、切断されたテープｂは溶着部の至近位置で切断される。
【００１５】
図２、図５〜図１０に示したように、帯掛け補助ガイド８は、水平に伸びる上下二対のガイド杆８ａの各基端をそれぞれ固定した垂直方向に伸びる２本のガイド杆支持体１４と、上下二対の各ガイド杆８ａの内側に進入あるいは退出して、該進入時にガイド杆８ａに掛けられた状態のテープｂ内側（ガイド杆支持体１４側）に係止しうる係止片１５を各上下端に形成した一対のテープ解放体１６とから構成する。前記ガイド杆支持体１４は、必要に応じて、テープｂのループが伸びる方向と直交する方向にガイド杆８ａとともに水平移動して、ガイド杆８ａにテープｂが掛かった状態となるガイド位置と、テープｂが掛からない状態となる非ガイド位置との間を変位するように構成する。また、前記各ガイド杆８ａは、掛けられたテープｂで形成されたループ内側に葉書束ａが納まるように配置される。さらに、前記テープ解放体１６は、それぞれ上下一対の各係止片１５が前記上下一対の各ガイド杆８ａの内側に進入、退出するように、ガイド杆８ａと直交する方向に、かつ互いが接近あるいは離反するように駆動機構（図示せず）によって水平移動するものである。なお、図３中、符号１７は補助クランプで、テープ溶着時に溶着部分を挟んで前記クランプ１２とは反対側を把持してテープｂの動揺を押さえるためのものである。
【００１６】
そして、前記帯掛け補助ガイド８は、前記ガイド位置においてテープｂを各ガイド杆８ａに掛けたところで、前記各テープ解放体１６を互いが接近する方向に進入させ、各係止片１５をテープｂの内側（ガイド杆支持体１４側）に入れた後、前記非ガイド位置に変位し、テープｂを各ガイド杆８ａから解放するように作動するのである。
【００１７】
次に、図５〜図１０及び図１１に基づいて上記帯掛け装置１の動作について説明する。先ず、前回の帯掛けが完了する（ステップ５０）と、帯掛けされた葉書束ａを移送路５の停止部から集積部に向けて排出し（ステップ５１）、帯掛け装置１は図５の状態となる。続いて、これから帯掛けされる葉書束ａ（図６〜図１０には図示せず）が進入し（ステップ５２）、該葉書束ａを移送路５の停止部の溶着補助体９上に停止させる。また、この葉書束ａの排出動作（ステップ５１）と進入動作（ステップ５２）と平行して、正回転するテープ供給ローラー２によって繰り出されたテープｂ先端近傍を、ループ形成部材３の回転体７ａの把持部７ｂで把持し、該回転体７ａをリング６に沿って一回転させ（図６参照）、把持部７ｂで把持したテープｂ先端近傍よりさらに先端側を、クランプ１２で把持する。このように回転体７ａが一回転すると、テープｂが帯掛け補助ガイド８のガイド位置において各ガイド杆８ａに掛り、葉書束ａの外側でテープｂのループが形成される（ステップ５３）。ここで、各テープ解放体１６を互いが接近する方向に進入し（図７参照）、各係止片１５をテープｂの内側に入れた後、前記帯掛け補助ガイド８を非ガイド位置に変位させ、テープｂを各ガイド杆８ａから解放する（図８参照）。
【００１８】
続いて、各ガイド杆８ａから解放され弛んだ状態のテープｂを、テープ供給ローラー２を逆回転させることによって供給側に引き絞る（ステップ５４）。テープｂを引き絞ったら、ヒーター１０を上昇させ、重なった状態のテープｂ先端部分とテープｂの供給側ループ端を溶着補助体９に押し付けて溶着する（図９参照）とともに、引き絞られた状態のテープｂを前記溶着部分と至近な供給側で、ヒーター１０とともに上昇し、かつヒーター１０で加熱されたカッター１１でテープｂを溶解しながらカッター受け１３との間に挟んで切断し（ステップ５５）て帯掛け作業が終了する（ステップ５６）（図１０参照）。なお、帯掛けされた葉書束ａは移送路５を集積部に向けて搬送される。
【００１９】
なお、本発明は上記実施形態になんら限定されるものではなく、例えば、単片用紙束は葉書束ａとは異なるものであってもよい。また、ガイド部材８のガイド杆８ａは４本ではなく、３本あるいは５本以上であってもよい。
【００２０】
【発明の効果】
以上のように、請求項１に記載された本発明は、カッターが加熱されるとともに、カッターとカッター受け間で剪断力を受けるので、テープが溶解しながら容易に切断し、従来例のようにテープにテンションを与えて切断する必要がないので、処理される単片用紙束は反り返る等の変形をおこすことがなく、また、少ない枚数の単片用紙束にも適用でき、また、ループ形成部材でテープの先端近傍を把持してテープのループを単片用紙束の周りに形成するため、ジャムが発生せずテープ選択の自由度が高いとともに、テープのループは帯掛け補助ガイドによって単片用紙束の外側にガイドされるため、テープのループ形成と、単片用紙束の排出、進入とを同時に行うことが可能なので、処理時間を短縮することができ、加えて、テープ解放体によりガイド杆に掛けられたテープを解放するので、単片用紙束へのテープ掛け動作が確実であるという効果を奏する。
【図面の簡単な説明】
【図１】  単片用紙の作成ユニットの概略図。
【図２】  概略図。
【図３】  要部の拡大図。
【図４】  溶着及び切断後のテープの部分図。
【図５】  帯掛け前の状態の斜視図。
【図６】  ループ形成途中の状態の斜視図。
【図７】  ループ形成後の状態の斜視図。
【図８】  帯掛け補助ガイドからテープを解放した状態の斜視図。
【図９】  テープの溶着及び切断後の状態の斜視図。
【図１０】  帯掛け終了状態の斜視図。
【図１１】  帯掛け動作のフロー図。
【図１２】  従来例の概略図。
【符号の説明】
ａ  葉書束
ｂ  テープ
１  帯掛け装置
２  テープ供給ローラー
３  ループ形成部材
４  テープ溶着ブロック
５  移送路
６  リング
７ａ  回転体
７ｂ  把持部
８  帯掛け補助ガイド
９  溶着補助体
１０  ヒーター
１１  カッター
１２  クランプ
１３  カッター受け
１４  ガイド杆支持体
１５  係止片
１６  テープ解放体
１７  補助クランプ
【図１】
0003781550.tif 000002
【図２】
0003781550.tif 000003
【図３】
0003781550.tif 000004
【図４】
0003781550.tif 000005
【図５】
0003781550.tif 000006
【図６】
0003781550.tif 000007
【図７】
0003781550.tif 000008
【図８】
0003781550.tif 000009
【図９】
0003781550.tif 000010
【図１０】
0003781550.tif 000011
【図１１】
0003781550.tif 000012
【図１２】
0003781550.tif 000013